【事件の表示】
　特願２００２−　９７１１３「２ポートデータ極性反転器を有する液晶表示装置及びその駆動方法」拒絶査定不服審判事件〔平成１５年　１月　８日出願公開、特開２００３−　　５７２９〕について、次のとおり審決する。
【結　論】
　本件審判の請求は、成り立たない。
【理　由】
１　手続の経緯
　
　本願は、平成１４年３月２９日の特許出願（パリ条約による優先権主張：平成１３年６月７日、平成１３年１０月１７日、大韓民国）であって、その後の手続きの経緯は以下のとおりである。
　
　平成１９年１１月１３日　拒絶理由通知（同年１１月１６日発送）
　平成２０年　３月１７日　意見書・手続補正書
　平成２０年　８月　５日　拒絶査定（同年８月１１日送達）
　平成２０年１１月　７日　本件審判請求、手続補正書（以下、「本件補正」という。）
　平成２１年　１月１６日　手続補正書（方式）（審判請求書の請求の理由）
　平成２１年１２月２５日　審尋（平成２２年１月６日発送）
　平成２２年　４月　６日　回答書
　
　
２　本件補正についての補正却下の決定  
 ［補正却下の決定の結論］  
 　本件補正を却下する。  
 　  
［理由］
２−１　本件補正の内容
　本件補正は、本件補正前の特許請求の範囲の請求項１ないし１２に、
　　
「【請求項１】　液晶パネルと、
制御信号とデータ信号を発生するシステム駆動部と、
前記システム駆動部から入力される信号で前記液晶パネルを駆動するためのタイミング信号を生成し出力するタイミングコントローラと、
前記タイミングコントローラから前記タイミング信号が入力され、前記データ信号が入力されて前記液晶パネルに画像を表示するゲートドライバ及びデータドライバと、
前記タイミングコントローラから前記タイミング信号を前記データドライバに供給するためのデータ整列部と、
前記制御信号が入力されて前記ゲートドライバ及びデータドライバに前記タイミング信号を供給するためのタイミング制御信号発生部と、
前記システム駆動部から発生した制御信号が入力され、前記ゲートドライバ及びデータドライバに極性制御信号を供給するための極性制御信号発生部を備えており、
前記極性制御信号発生部は、液晶の極性反転可否をチェックしてこれに対応して反転させる液晶極性反転駆動部と、奇数データのデータ遷移をチェックしてこれに対応してデータの極性を反転させる奇数データ極性反転駆動部と、偶数データのデータ遷移をチェックしてこれに対応してデータの極性を反転させる偶数データ極性反転駆動部とを具備すること
を特徴とする２ポートデータ極性反転器を有する液晶表示装置。
　
【請求項２】　前記奇数データ極性反転駆動部は、前記奇数データなどのデータ遷移をチェックする奇数データ遷移部と、前記データ遷移によるデータの極性が変化される信号の数を把握して出力レベルを決定する奇数データ極性反転信号合算部と、前記奇数データ遷移部と前記奇数データ極性反転信号合算部から信号を受けて出力データを反転させる
信号を出力する奇数データ極性反転信号出力部とを具備することを特徴とする請求項１記載の２ポートデータ極性反転器を有する液晶表示装置。
　
【請求項３】　前記偶数データ極性反転駆動部は、前記偶数データなどのデータ遷移をチェックする偶数データ遷移部と、前記データ遷移によるデータの極性が変化される信号の数を把握して出力レベルを決定する偶数データ極性反転信号合算部と、前記偶数データ遷移部と前記偶数データ極性反転信号合算部から信号を受けて出力データを反転させる信号を出力する偶数データ極性反転信号出力部とを具備することを特徴とする請求項１記載の２ポートデータ極性反転器を有する液晶表示装置。
　
【請求項４】　前記奇数データ遷移部は、現在のデータと以前のデータを比較してこれに対応してデータ遷移をチェックする二つのフリップフロップとエクスクルーシブ論理合のゲートを具備することを特徴とする請求項２記載の２ポートデータ極性反転器を有する液晶表示装置。
　
【請求項５】　前記偶数データ遷移部は、現在のデータと以前のデータを比較してこれに対応してデータ遷移をチェックする二つのフリップフロップとエクスクルーシブ論理合のゲートを具備することを特徴とする請求項３記載の２ポートデータ極性反転器を有する液晶表示装置。
　
【請求項６】　前記奇数データ極性反転信号合算部は、前記データ遷移部から前記データ遷移のあるデータ数を合算する合算器と、前記合算されたデータ数が基準値を超えるかをチェックする過半数検出器とを具備することを特徴とする請求項２記載の２ポートデータ極性反転器を有する液晶表示装置。
　
【請求項７】　前記偶数データ極性反転信号合算部は、前記データ遷移部から前記データ遷移のあるデータ数を合算する合算器と、前記合算されたデータ数が基準値を超えるかをチェックする過半数検出器とを具備することを特徴とする請求項３記載の２ポートデータ極性反転器を有する液晶表示装置。
　
【請求項８】　前記奇数データ極性反転信号出力部は、前記データ極性反転信号合算部からの極性反転信号を受けて出力データを反転させるためのマルチプレクサとを具備することを特徴とする請求項２記載の２ポートデータ極性反転器を有する液晶表示装置。
　
【請求項９】　前記偶数データ極性反転信号出力部は、前記データ極性反転信号合算部からの極性反転信号を受けて出力データを反転させるためのマルチプレクサとを具備することを特徴とする請求項３記載の２ポートデータ極性反転器を有する液晶表示装置。
 　
【請求項１０】　入力データを奇数及び偶数データに分割する段階と、前記奇数及び偶数データを奇数及び偶数データ極性反転駆動部にそれぞれ入力する段階と、前記奇数及び偶数データでデータ遷移のあるデータ数をチェックする段階と、前記決定された数に対応して奇数及び偶数データの極性を反転させる段階を含み、
前記奇数及び偶数データの極性を反転させる段階は、前記奇数及び偶数データ遷移があるかをチェックするため、奇数及び偶数データと以前の奇数及び偶数データを比較する段階と、前記奇数及び偶数データ遷移のある奇数及び偶数データ数を合算する段階と、合算されたデータ数が全体の入力データのビットの半数を超えると奇数及び偶数データを反転させて、合算されたデータ数が全体の入力データのビットの半数以下であると反転なく入力データを出力させる段階を含むことを特徴とする２ポートデータ極性反転器を有する液晶表示装置の駆動方法。
　
【請求項１１】　前記全体の入力データのビットの数は１８であることを特徴とする請求項１０記載の２ポートデータ極性反転器を有する液晶表示装置の駆動方法。
　
【請求項１２】　前記奇数及び偶数データのビットの数はそれぞれ９であることを特徴とする請求項１０記載の２ポートデータ極性反転器を有する液晶表示装置の駆動方法。」
　
　とあったものを、
　
「【請求項１】　液晶パネルと、
制御信号とデータ信号を発生するシステム駆動部と、
前記システム駆動部から入力される信号で前記液晶パネルを駆動するためのタイミング信号を生成し出力するタイミングコントローラと、
前記タイミングコントローラから前記タイミング信号が入力され、前記データ信号が入力されて前記液晶パネルに画像を表示するゲートドライバ及びデータドライバと、
前記タイミングコントローラから前記タイミング信号を前記データドライバに供給するためのデータ整列部と、
前記制御信号が入力されて前記ゲートドライバ及びデータドライバに前記タイミング信号を供給するためのタイミング制御信号発生部と、
前記システム駆動部から発生した制御信号が入力され、前記ゲートドライバ及びデータドライバに極性制御信号を供給するための極性制御信号発生部を備えており、
前記極性制御信号発生部は、液晶の極性反転可否をチェックしてこれに対応して反転させる液晶極性反転駆動部と、奇数データのデータ遷移をチェックしてこれに対応してデータの極性を反転させる奇数データ極性反転駆動部と、偶数データのデータ遷移をチェックしてこれに対応してデータの極性を反転させる偶数データ極性反転駆動部とを具備
し、
前記奇数データ極性反転駆動部は、前記奇数データなどのデータ遷移をチェックする奇数データ遷移部と、前記データ遷移によるデータの極性が変化される信号の数を把握して出力レベルを決定する奇数データ極性反転信号合算部と、前記奇数データ遷移部と前記奇数データ極性反転信号合算部から信号を受けて出力データを反転させる信号を出力する奇数データ極性反転信号出力部とを具備し、
前記偶数データ極性反転駆動部は、前記偶数データなどのデータ遷移をチェックする偶数データ遷移部と、前記データ遷移によるデータの極性が変化される信号の数を把握して出力レベルを決定する偶数データ極性反転信号合算部と、前記偶数データ遷移部と前記偶数データ極性反転信号合算部から信号を受けて出力データを反転させる信号を出力する偶数データ極性反転信号出力部
　
【請求項
２
１
　
【請求項
３
１
　
【請求項
４
１
　
【請求項
５
１
　
【請求項
６
１
　
【請求項
７
１
　
【請求項
８
前記奇数及び偶数データの極性を反転させる段階は、
前記奇数及び偶数データ遷移をチェックする段階と、前記データ遷移によるデータの極性が変化される信号の数を把握して出力レベルを決定する段階と、
　
【請求項
９
８
　
【請求項
１０
８
に補正しようとするものである。
（注：下線は補正箇所を明示するために請求人が付したものである。）
　
２−２　本件補正の目的
　方法の発明が記載された本件補正後の請求項８ないし１０は、同じく方法の発明が記載された本件補正前の請求項１０ないし１２を補正したものである。そこで、本件補正のうち本件補正前の請求項１０についてする補正が、平成１８年法律第５５号改正附則第３条第１項によりなお従前の例によるとされる同法による改正前の特許法（以下、「改正前特許法」という。）第１７条の２第４項に掲げる事項のいずれを目的とするものであるのかについて、以下に検討する。
　
　本件補正前の請求項１０についてする補正は、本件補正前の請求項１０に「前記奇数及び偶数データ遷移があるかをチェックするため、奇数及び偶数データと以前の奇数及び偶数データを比較する段階」とあったものを、「前記奇数及び偶数データ遷移をチェックする段階と、前記データ遷移によるデータの極性が変化される信号の数を把握して出力レベルを決定する段階」に補正する補正事項からなるものであって、「データ遷移によるデータの極性が変化される信号の数を把握して出力レベルを決定する段階」を追加する限定を含むものである。
　したがって、本件補正は、改正前特許法第１７条の２第４項第２号に規定する特許請求の範囲の減縮を目的とする補正事項を含む。
　
２−３　独立特許要件
　そこで、本件補正後の請求項８に記載された事項により特定される発明が、特許出願の際独立して特許を受けることができるものであるかどうか（改正前特許法第１７条の２第５項において準用する特許法第１２６条第５項の規定に適合するか）について、以下に検討する。
　
２−３−１　特許法第３６条第６項
　本件補正後の特許請求の範囲の請求項８の記載が、特許法第３６条第６項の規定を満たすか否かを検討する。
　
　はじめに、本件補正後の請求項８の記載を分説すると、以下のとおりである。（当審注：符号ａ、ｂ等は当審で付したものであり、下線部分が補正箇所である。）
　
ａ：入力データを奇数及び偶数データに分割する段階と、
ｂ：前記奇数及び偶数データを奇数及び偶数データ極性反転駆動部にそれぞれ入力する段階と、
ｃ：前記奇数及び偶数データでデータ遷移のあるデータ数をチェックする段階と、前記決定された数に対応して奇数及び偶数データの極性を反転させる段階を含み、
ｄ：前記奇数及び偶数データの極性を反転させる段階は、
ｄ−１：
前記奇数及び偶数データ遷移をチェックする段階と、
ｄ−２：
前記データ遷移によるデータの極性が変化される信号の数を把握して出力レベルを決定する段階と、
ｄ−３：前記奇数及び偶数データ遷移のある奇数及び偶数データ数を合算する段階と、
ｄ−４：合算されたデータ数が全体の入力データのビットの半数を超えると奇数及び偶数データを反転させて、合算されたデータ数が全体の入力データのビットの半数以下であると反転なく入力データを出力させる段階を
ｅ：含むことを特徴とする２ポートデータ極性反転器を有する液晶表示装置の駆動方法。
　
　本件補正により補正されたｄ−１、ｄ−２を含む極性を反転させる段階の各発明特定事項ｄ−１ないしｄ−４に対応する発明の詳細な説明を参酌すると、発明の詳細な説明には、以下の記載がある。
　
「【００５９】
　先記ＲＥＶ１駆動部（７０）は、奇数番目データなどのデータ遷移をチェックする第１データ遷移部（７２）と、データ遷移によるデータ極性が変化される信号の数を把握して出力レベルを決定するＲＥＶ１信号合算部（７４）と、データ遷移チェック部（７２）とＲＥＶ１信号合算部（７４）から信号を受けて出力データを反転させる信号を出力するＲＥＶ信号出力部（７６）とを具備する。
【００６０】
　第１データ遷移チェック部（７２）は、二つのフリップフロップ（７１、７３）と、ＸＯＲ（７５）ゲートで構成される。現在データフリップフロップ（７１）と以前データフリップフロップ（７３）に入力される各データを比較してデータのハイ（１）とロー（０）の変化をチェックする。万が一データ遷移があると第１データ遷移チェック部（７２）の出力はハイ（１）に、遷移がないとロー（０）に出力される。この際データなどは偶数と奇数に関係なく順次的に比較する。
【００６１】
　ＲＥＶ１信号合算部（７４）は、Ｒ、Ｇ、Ｂそれぞれの奇数（Ｏｄｄ）番目データ各１８個に対して第１データ遷移チェック部（７２）を通してデータ遷移があるデータの数を合算器（ＡＤＤＥＲ、７７）を使用して足し合わせる。この際、データ遷移がある際の出力であるハイ（１）の数字がＲ、Ｇ、Ｂデータ総数の半分である９つを超過するかをチェクする。万が一ハイ（１）の数字が９つを超過する場合、ＲＥＶがハイ（１）になり、９つ以下である場合にはロー（０）になる。
【００６２】
　ＲＥＶ１信号出力部（７６）は、２×１マルチプレクサ（７９）を使用してＲＥＶ信号合算部（７４）の出力がハイ（１）である場合は出力データを反転させる信号をデータドライバ（５３）に供給する。即ち、データ遷移される数が半分（９つ）を越える場合、遷移される量を減らすために出力データを反転させ｛１８−（９以上のデータ遷移される数）｝ほど出力データが遷移されるようにする。」
　
　また、【００６４】ないし【００６７】には、偶数番目データに対し、同様の処理を行うことが記載されている。
　
　上記記載によると、発明の詳細な説明には、奇数番目データに関して、
ア：第１データ遷移部（７２）は、「データ遷移をチェック」し、
イ：ＲＥＶ１信号合算部（７４）は、「データ遷移があるデータの数を合算器（ＡＤＤＥＲ、７７）を使用して足し合わせ」、
「データ遷移がある際の出力であるハイ（１）の数字がＲ、Ｇ、Ｂデータ総数の半分である９つを超過する」「場合、」その出力である「ＲＥＶがハイ（１）になり、９つ以下である場合にはロー（０）にな」り、
ウ：ＲＥＶ１信号出力部（７６）は、「ＲＥＶ信号合算部（７４）の出力がハイ（１）である場合は出力データを反転させる信号をデータドライバ（５３）に供給する」
動作を、この順に行うことが記載されている。また、偶数番目データに関して、同様の動作を行うことが記載がされている。
　
　そこで、本件補正後の請求項８に記載された発明特定事項について検討すると、データの極性が変化される信号の数を把握して出力レベルを決定する段階ｄ−２が、データ数を合算する段階ｄ−３に先行する段階として特定されている。このようにデータ数を合算する前に出力レベルを決定することは技術的に矛盾する。また、同請求項８に係る発明は、上記アないしウで説示したことから、発明の詳細な説明に記載した発明ではない。
　したがって、上記請求項８の記載は、特許法第３６条第６項第１号及び同第２号の規定する要件を満たすものではないから、本件補正後の請求項８に係る発明（以下、「本願補正発明」という。）は、特許出願の際独立して特許を受けることができない。
　
　
２−３−２　特許法第２９条の２
（ａ）上記「２−３−１」で検討したとおり、本願補正発明が特許出願の際独立して特許を受けることができるものではないから、本件補正は却下すべきものである。仮に、上記データを合算する段階ｄ−３が出力レベルを決定する段階ｄ−２に先行すると解した場合についても、念のため、以下に検討する。
　
（ｂ）本願補正発明
　本願補正発明は、本件補正後の特許請求の範囲の請求項８に記載された事項により特定される次のとおりのものである。
　
「入力データを奇数及び偶数データに分割する段階と、前記奇数及び偶数データを奇数及び偶数データ極性反転駆動部にそれぞれ入力する段階と、前記奇数及び偶数データでデータ遷移のあるデータ数をチェックする段階と、前記決定された数に対応して奇数及び偶数データの極性を反転させる段階を含み、
前記奇数及び偶数データの極性を反転させる段階は、前記奇数及び偶数データ遷移をチェックする段階と、前記データ遷移によるデータの極性が変化される信号の数を把握して出力レベルを決定する段階と、前記奇数及び偶数データ遷移のある奇数及び偶数データ数を合算する段階と、合算されたデータ数が全体の入力データのビットの半数を超えると奇数及び偶数データを反転させて、合算されたデータ数が全体の入力データのビットの半数以下であると反転なく入力データを出力させる段階を含むことを特徴とする２ポートデータ極性反転器を有する液晶表示装置の駆動方法。」
　
（ｃ）先願発明
　原審の拒絶の理由で引用され、本願の最先の優先日前の他の特許出願であって、本願の最先の優先日後に出願公開された特願２０００−１４４９７３号（以下、「先願」という。出願人：株式会社アドバンスト・ディスプレイ、発明者：西村　優、出願日：平成１２年５月１７日、公開日：平成１３年１１月２２日、特開２００１−３２４９６５号公報参照。）の願書に最初に添付した明細書又は図面（以下「先願明細書等」という。）には、以下の記載がある。
　
（１）「【特許請求の範囲】
【請求項１】  画像データを符号化する符号化回路、この符号化回路によって符号化された画像データを複数の信号線を介して伝送する制御回路、この制御回路によって伝送される画像データを復号化すると共に、復号化された画像データに基づき駆動信号を出力する液晶駆動回路、この液晶駆動回路の出力する駆動信号により画像を表示する表示部を備えたことを特徴とする液晶表示装置。
【請求項２】  符号化回路は、画像データの第一の極性から第二の極性への同時変化が少なくなるように構成されたことを特徴とする請求項１記載の液晶表示装置。
　
・・・
　
【請求項４】  伝送される画像データは、同一時点で過半数の画像データが同時変化しないように符号化されることを特徴とする請求項１または請求項２記載の液晶表示装置。
【請求項５】  符号化回路は、複数に分割されると共に、分割された各符号化回路に対応して、画像データを伝送する信号線が分割されていることを特徴とする請求項１〜請求項４のいずれか一項記載の液晶表示装置。
【請求項６】  符号化回路は、画像データの奇数列及び偶数列に対応するように分割されていることを特徴とする請求項５記載の液晶表示装置。」
　
（２）「【０００４】
【発明が解決しようとする課題】
  多くのデータがパラレルに伝送された場合、信号線からの放射（不要輻射）や同時変化による電源、グランドからの放射が多くなり、ＥＭＩ（Ｅｌｅｃｔｒｏｍａｇｎｅｔｉｃ  Ｉｎｔｅｒｆｅｒｅｎｃｅ）が問題となる。このため、放射を低減するためにタイミングコントローラ２から複数のデータ信号を異なる位相で出力することが考えられるが、データの位相マージンが減少し、セットアップタイムやホールドタイムを確保できなくなる。
【０００５】
この発明は、上記のような課題を解決するためになされたもので、全てのデータに対して位相マージンを十分確保でき、信号線や電源、グランドからの放射を低減することができる液晶表示装置を得ることを目的としている。」
　
（３）「【００１９】
  次に、図４について説明する。
  図４は、データ符号化回路１１により、フラグを別のデータ線に設け、時間軸上の同一位置すなわち同一時点でのデータ極性反転数が、過半数を超えた場合、過半数を超えないようにデータを反転させ、フラグを立てる。復号化回路１２では、フラグに従いデータを再度反転させ、もとのデータに戻す。
【００２０】
  実施の形態２によれば、入力データに対応して、出力する複数データの同時変化数が少なくなるように、入力データを変換するとともに、変換したことを示すフラグを付加して出力するデータ符号化機能を持つデータ符号化回路と、液晶駆動回路内でデータに付加されたフラグに従って、入力された複数データを元のデータに戻す復号化機能を持つ液晶駆動回路を有することにより、多くのデータがパラレル伝送される場合のデータの同時変化を減らすことができ、信号線からの不要輻射や電源、グランドからの放射を低減することができる。」
　
（４）「【００２４】
実施の形態４．
  図６は、この発明の実施の形態４による液晶表示装置のデータ符号化回路及び復号化回路を示す概略図である。
  図６において、１１はデータを符号化するデータ符号化回路で、偶数列と奇数列でデータを二分割して符号化するよう二つに分けられている。１２は符号化されたデータを復号化する復号化回路であり、偶数列と奇数列のデータを復号化するよう二分割されている。
  実際の液晶表示装置では、表示される画面の近傍のデータが似ている場合が多く、偶数列と奇数列でデータを二分割することで、効率よく同時変化数を判定し削減することができる。
【００２５】
  実施の形態４によれば、複数のデータを表示列の奇数列及び偶数列に分割し、分割したデータ毎にデータの符号化及び復号化することにより、データの変化が比較的同時に発生するブロック毎に符号化し、多くのデータがパラレル伝送される場合のデータの同時変化をさらに低減することができ、信号線からの不要輻射や同時スイッチングによる電源、グランドからの放射をさらに低減することができる。」
　
　以上の記載事項（１）ないし（４）と図面から、先願明細書等に記載された発明を認定する。
　
（ア）上記（４）の「【００２４】実施の形態４．・・・、１１はデータを符号化するデータ符号化回路で、偶数列と奇数列でデータを二分割して符号化するよう二つに分けられている。」との記載から、実施の形態４による液晶表示装置において、データ符号化回路１１の入力データを奇数列及び偶数列に分割することが読み取れる。
　
（イ）上記（４）の「図６において、１１はデータを符号化するデータ符号化回路で、偶数列と奇数列でデータを二分割して符号化するよう二つに分けられている。」との記載から、実施の形態４による液晶表示装置において、奇数列及び偶数列で分割されたデータをデータ符号化回路１１の分割された２つの符号化回路（図６）にそれぞれ入力することが読み取れる。
　
（ウ）上記（４）の「【００２４】実施の形態４．・・・、偶数列と奇数列でデータを二分割することで、効率よく同時変化数を判定し削減することができる。」との記載から、奇数列及び偶数列に分割された入力データの同時変化数を判定することが読み取れる。
　
（エ） 上記（３）の「図４は、データ符号化回路１１により、フラグを別のデータ線に設け、時間軸上の同一位置すなわち同一時点でのデータ極性反転数が、過半数を超えた場合、過半数を超えないようにデータを反転させ、フラグを立てる。」との記載から、実施の形態２のデータ符号化回路１１により、同一時点でのデータ極性反転数が全体の入力データＡないしＣのビット（図４）の過半数を超えた場合、過半数を超えないように入力データの極性を反転させ、フラグを立てることが読み取れる。また、全体の入力データＡないしＣのビットの過半数以下の場合、入力データを反転なく出力することは自明である。
　
（オ）上記（１）の記載（特に、請求項４ないし６を参照。）や先願明細書等全体の記載から、実施の形態４によるデータ符号化回路１１の２つの符号化回路は、上記実施の形態２によるデータ符号化回路１１と同様のデータ符号化を行うことが読み取れる。
　そして、上記（イ）ないし（エ）で述べた読み取れる事項や自明な事項をまとめると、奇数列及び偶数列のデータを２つの符号化回路にそれぞれ入力し、奇数列及び偶数列のデータ極性反転数を判定し、それぞれのデータ極性反転数がそれぞれの全体の入力データのビットの過半数を超えた場合、奇数列及び偶数列のデータの極性を反転させ、フラグを立て、それぞれのデータ極性反転数がそれぞれの全体の入力データのビットの過半数以下の場合、反転なく入力データを出力させることが読み取れる。
　
（カ）上記（１）の記載（特に、請求項１、２、４ないし６を参照。）、上記（４）の「【００２４】実施の形態４．図６は、この発明の実施の形態４による液晶表示装置のデータ符号化回路及び復号化回路を示す概略図である。・・・【００２５】実施の形態４によれば、複数のデータを表示列の奇数列及び偶数列に分割し、分割したデータ毎にデータの符号化及び復号化する」の記載や先願明細書等全体の記載から、奇数列及び偶数列に分割したデータ毎に符号化及び復号化して液晶表示装置を駆動する、液晶表示装置の駆動方法が読み取れる。
　
　してみると、上記技術的事項（ア）ないし（カ）を総合勘案すれば、先願明細書等には、
　
「入力データを奇数列及び偶数列に分割する段階と、奇数列及び偶数列のデータをデータ符号化回路１１の２つの符号化回路にそれぞれ入力する段階と、奇数列及び偶数列のデータ極性反転数を判定する段階と、
それぞれのデータ極性反転数がそれぞれの全体の入力データのビットの過半数を超えた場合、奇数列及び偶数列のデータの極性を反転させ、フラグを立て、それぞれのデータ極性反転数がそれぞれの全体の入力データのビットの過半数以下の場合、反転なく入力データを出力させる段階を含むデータ符号化回路１１を有する液晶表示装置の駆動方法。」
の発明（以下、「先願発明」という。）が記載されている。
　
（ｄ）対比
　本願補正発明と先願発明とを対比する。
　
　まず、上記対比に当たり、本願補正発明の「データ遷移によるデータの極性が変化される信号の数を把握して出力レベルを決定する段階」は「奇数及び偶数データ遷移のある奇数及び偶数データ数を合算する段階」に先行する段階として特定されている点は、上記「２−３−２（ａ）」のとおり、前記各段階が前後したものと解した。
　
　また、
（ア）本願補正発明の「前記決定された数」は、その記載前に「決定」なる記載がなく、明確ではない。
（イ）本願補正発明の「奇数及び偶数データ遷移のある奇数及び偶数データ数を合算する段階」及び「合算されたデータ数が全体の入力データのビットの半数を超えると奇数及び偶数データを反転させて、合算されたデータ数が全体の入力データのビットの半数以下であると反転なく入力データを出力させる段階」において、「合算されたデータ数」は奇数データ数と偶数データ数とをそれぞれ合算するものか、あるいは、奇数データ数と偶数データ数とを合算するものか、必ずしも明確ではない。
（ウ）本願補正発明の「全体の入力データ」は奇数データと偶数データのそれぞれを意味するものか、あるいは、奇数データと偶数データとを合わせた入力データを意味するものか、必ずしも明確ではない。
（エ）本願補正発明の「奇数及び偶数データでデータ遷移のあるデータ数をチェックする段階」後にある「奇数及び偶数データの極性を反転させる段階」では、前記データ遷移のあるデータ数をチェックする段階と実質的に同じ段階（「前記奇数及び偶数データ遷移をチェックする段階と、前記データ遷移によるデータの極性が変化される信号の数・・・段階と、前記奇数及び偶数データ遷移のある奇数及び偶数データ数を合算する段階と、・・・」）を重ねて行うものとも解せるが、このように解すると、当該「（エ）」の項で指摘している本願補正発明の「奇数及び偶数データでデータ遷移のあるデータ数をチェックする段階」の技術的意義が一義的なものといえなくなってしまう。
　
　そこで、発明の詳細な説明を参酌し、
　
（ア）「決定された数」は、「奇数及び偶数データでデータ遷移のあるデータ数」と解釈し、
（イ）「奇数及び偶数データ遷移のある奇数及び偶数データ数を合算する段階」は、「奇数及び偶数データ遷移のある奇数及び偶数データ数をそれぞれ合算する段階」と解釈し、
（ウ）「合算されたデータ数が全体の入力データのビットの半数を超えると奇数及び偶数データを反転させて、合算されたデータ数が全体の入力データのビットの半数以下であると反転なく入力データを出力させる段階」は、「それぞれ合算されたデータ数がそれぞれの全体の入力データのビットの半数を超えると奇数及び偶数データを反転させて、それぞれ合算されたデータ数がそれぞれの全体の入力データのビットの半数以下であると反転なく入力データを出力させる段階」と解釈し、
（エ）「前記奇数及び偶数データ遷移をチェックする段階と、前記データ遷移によるデータの極性が変化される信号の数を把握して出力レベルを決定する段階と、前記奇数及び偶数データ遷移のある奇数及び偶数データ数を合算する段階と、合算されたデータ数が全体の入力データのビットの半数を超えると奇数及び偶数データを反転させて、合算されたデータ数が全体の入力データのビットの半数以下であると反転なく入力データを出力させる段階」は、「奇数及び偶数データでデータ遷移のあるデータ数をチェックする段階及び奇数及び偶数データの極性を反転させる段階」に含まれる
と解釈して、上記対比をする。
　
（１）先願発明の「奇数列」、「偶数列」、「奇数列のデータ」、「偶数列のデータ」、「入力データを奇数列及び偶数列に分割する段階」、「判定する」は、それぞれ本願補正発明の「奇数」、「偶数」、「奇数データ」、「偶数データ」、「入力データを奇数及び偶数データに分割する段階」、「チェックする」に相当する。
　
（２）先願発明の「データ極性反転」、「データ極性反転数」は、それぞれ本願補正発明の「データ遷移」、「データ遷移のあるデータ数」に相当する。また、先願発明の「データ極性反転数」と、本願補正発明の「合算されたデータ数」とは、共に、「データ遷移のあるデータ数」の点で共通する。　
　
（３）先願発明の「入力データのビットの過半数を越えた場合」、「入力データのビットの過半数以下の場合」は、それぞれ本願補正発明の「入力データのビットの半数を超えると」、「入力データのビットの半数以下であると」に相当する。
　
（４）先願発明の「フラグ」はデータ極性反転数に応じて入力データを反転させたことを示すものであって、「１」または「０」の値で出力されるものといえ、また、本願補正発明の「出力レベル」はデータ遷移によるデータ極性が変化される信号の数に応じた値で出力されるものといえるから、先願発明の「フラグを立て」るは、本願補正発明の「出力レベルを決定す」るに相当する。
　
（５）先願発明における液晶表示装置の「データ符号化回路１１の２つの符号化回路」は、奇数列及び偶数列のデータをそれぞれ入力するものであり、データ極性を反転させるものであるから、本願補正発明の「奇数及び偶数データ極性反転駆動部」に相当する。
　また、先願発明における「液晶表示装置」は前記データ符号化回路１１がデータ極性を反転する２つの符号化回路を有するから、本願補正発明の「２ポートデータ極性反転器を有する液晶表示装置」に相当する。
　
（６）先願発明の「奇数列及び偶数列のデータ極性反転数を判定する段階と、それぞれのデータ極性反転数がそれぞれの全体の入力データのビットの過半数を超えた場合、奇数列及び偶数列のデータの極性を反転させ、フラグを立て・・・る段階」と、本願補正発明の「奇数及び偶数データ遷移をチェックする段階と、前記データ遷移によるデータの極性が変化される信号の数を把握して出力レベルを決定する段階と、前記奇数及び偶数データ遷移のある奇数及び偶数データ数を合算する段階」とは、
「前記データ遷移によるデータの極性が変化される信号の数を把握して出力レベルを決定する段階と、前記奇数及び偶数データ遷移のある奇数及び偶数データ数をチェックする段階」の点で共通する。
　
（７）先願発明の「それぞれのデータ極性反転数がそれぞれの全体の入力データのビットの過半数を超えた場合、奇数列及び偶数列のデータの極性を反転させ、・・・、それぞれのデータ極性反転数がそれぞれの全体の入力データのビットの過半数以下の場合、反転なく入力データを出力させる段階」と、本願補正発明の「合算されたデータ数が全体の入力データのビットの半数を超えると奇数及び偶数データを反転させて、合算されたデータ数が全体の入力データのビットの半数以下であると反転なく入力データを出力させる段階」とは、
「データ遷移のあるデータ数が全体の入力データのビットの半数を超えると奇数及び偶数データを反転させて、前記データ遷移のあるデータ数が全体の入力データのビットの半数以下であると反転なく入力データを出力させる段階」の点で共通する。
　
　したがって、両者は、
　
「入力データを奇数及び偶数データに分割する段階と、前記奇数及び偶数データを奇数及び偶数データ極性反転駆動部にそれぞれ入力する段階と、前記奇数及び偶数データでデータ遷移のあるデータ数をチェックする段階と、前記決定された数に対応して奇数及び偶数データの極性を反転させる段階を含み、
前記奇数及び偶数データの極性を反転させる段階は、前記データ遷移によるデータの極性が変化される信号の数を把握して出力レベルを決定する段階と、前記奇数及び偶数データ遷移のある奇数及び偶数データ数をチェックする段階と、前記データ遷移のあるデータ数が全体の入力データのビットの半数を超えると奇数及び偶数データを反転させて、前記データ遷移のあるデータ数が全体の入力データのビットの半数以下であると反転なく入力データを出力させる段階を含むことを特徴とする２ポートデータ極性反転器を有する液晶表示装置の駆動方法。」
の点で一致するが、以下の点で一応相違する。
　
［相違点１］
　データ遷移のあるデータ数を得る際に、本願発明では奇数及び偶数データ遷移をチェックする段階を含むのに対し、先願発明ではそのようなチェックする段階を含むのか否か不明な点。
　
［相違点２］
　データ遷移のあるデータ数を得る際に、本願発明では奇数及び偶数データ遷移のある奇数及び偶数データ数を合算する段階を含むのに対し、先願発明ではそのような合算する段階を含むのか否か不明な点。
　
（ｅ）判断
　以下、上記相違点について検討する。
　
［相違点１］について
　データ遷移のあるデータ数を得るため、データ遷移をチェックする段階を含むように構成することは周知の技術（例えば、特開２０００−２０７０７７号公報（特に、「【００２７】図６のトランジション検出セル（ＴＤＣ）は直列接続された第２及び第３フリップフロップ（５２、５４）と、フリップフロップ（５２、５４）に蓄積されたビットデータなどを比較するエクスクルーシブオアゲート（Ｅｘｃｌｕｓｉｖｅ  ＯＲ  Ｇａｔｅ）（ＥＯＸ）とを具備する。第２及び第３フリップフロップ（５２、５４）はそれぞれインターフェース（３４）からのデータクロック（ＤＣＬＫ）に同期してそれぞれｎ番目のデータとn−1番目のデータをラッチしている。エクスクルーシブオアゲート（ＥＯＸ；５６）は前記第２及び第３フリップフロップ（５２、５４）からラッチされたデータを受けてそれぞれのデータの値を比較してその比較結果によってトランジション検出信号（ＴＳ）を生成出力する。即ち前記エクスクルーシブオアゲート（５６）は第２及び第３フリップフロップ（５２、５４）から″０″″０″または″１″″１″のデータが入力されるとデータトランジションがないことを表す″０″値のトランジション検出信号（ＴＳ）を出力し、″０″″１″または″１″″０″のデータが入力されるとデータトランジションを表す″１″値のトランジション検出信号（ＴＳ）を出力する。このような１８個のトランジション検出セル（ＴＤＣ１〜ＴＤＣ１８）はそれぞれ１ビットずつのデータを受けてそれぞれ直前周期のデータと比較して各該当ビットのトランジション状態を検出してその検出信号（ＴＳ１〜ＴＳ１８）を図５の計数器（４６）に出力する。」）の記載を参照。）に過ぎず、該周知の技術を参酌すれば、先願発明において、データ極性反転数を判定するため、奇数列及び偶数列データのデータ極性反転を判定する段階を含む構成として、上記相違点１に係る構成とすることは、課題解決の具体化手段における微差と言える。したがって、上記相違点１は実質的な相違点ではない。
　
［相違点２］について
　データ遷移のあるデータ数を得るため、データ遷移のあるデータ数を合算する段階を含むように構成することは周知の技術であり（例えば、上記特開２０００−２０７０７７号公報（特に、【００２８】の「計数器（４６）はトランジション検出アレイ（４４）からの１８個のトランジション検出信号（ＴＳ１〜ＴＳ１８）の中の特定の論理値を有するトランジション検出信号（ＴＳ）の数を数えてトランジションビット数（ＶＢＮ）として閾値比較器（４８）に供給する。、上述した計数器（４６）としては加算器（ａｄｄｅｒ）を使用できる。」）、特開平４−３０３２３４号公報（特に、【００１１】の「加算器」）の記載を参照。）、該周知の技術を参酌すれば、先願発明において合算する段階を含む構成として、上記相違点２に係る構成とすることは、課題解決の具体化手段における微差と言える。したがって、上記相違点２は実質的な相違点ではない。
　　
　以上のとおり、上記相違点１、２は、いずれも実質的な相違点ではないから、本願補正発明と先願発明とは実質的に同一である。そして、先願発明をした者が本願補正発明の発明者と同一の者であるとも、また、本願の出願の時にその出願人と先願の出願人とが同一の者であるともいえない。
　よって、本願補正発明は、特許法第２９条の２の規定により、特許出願の際独立して特許を受けることができないものである。
　
　
２−４　まとめ 
　以上のとおりであるから、本件補正は、平成１８年改正前特許法第１７条の２第５項において準用する同法１２６条第５項の規定に違反するので、同法第１５９条第１項において読み替えて準用する同法第５３条第１項の規定により却下すべきものである。
　
　
３　本願発明
　本件補正は上記のとおり却下されたので、本願の請求項１ないし１２に係る発明は、平成２０年３月１７日付けの手続補正により補正された特許請求の範囲の請求項１ないし１２に記載された事項により特定されるとおりのものと認められるところ、本願の請求項１０に係る発明は、特許請求の範囲の請求項１０に記載された次のとおりのものである。
　
「入力データを奇数及び偶数データに分割する段階と、前記奇数及び偶数データを奇数及び偶数データ極性反転駆動部にそれぞれ入力する段階と、前記奇数及び偶数データでデータ遷移のあるデータ数をチェックする段階と、前記決定された数に対応して奇数及び偶数データの極性を反転させる段階を含み、
前記奇数及び偶数データの極性を反転させる段階は、前記奇数及び偶数データ遷移があるかをチェックするため、奇数及び偶数データと以前の奇数及び偶数データを比較する段階と、前記奇数及び偶数データ遷移のある奇数及び偶数データ数を合算する段階と、合算されたデータ数が全体の入力データのビットの半数を超えると奇数及び偶数データを反転させて、合算されたデータ数が全体の入力データのビットの半数以下であると反転なく入力データを出力させる段階を含むことを特徴とする２ポートデータ極性反転器を有する液晶表示装置の駆動方法。」
（以下、「本願発明」という。）
　
　
４　先願発明
　原審の拒絶の理由で引用され、本願の最先の優先日前の他の特許出願であって、本願の最先の優先日後に出願公開された先願及び先願明細書等の記載事項は、上記「２−３−２（ｃ）」に記載したとおりである。
　
　
５　対比
　本願発明と先願発明とを対比する。
　
　本願発明は、上記「２」で検討した本願補正発明における「前記奇数及び偶数データ遷移をチェックする段階と、前記データ遷移によるデータの極性が変化される信号の数を把握して出力レベルを決定する段階」から、「前記データ遷移によるデータの極性が変化される信号の数を把握して出力レベルを決定する段階」との限定事項を削除し、上記「２−３−２（ｄ）」の対比で相違点１とした「奇数及び偶数データ遷移をチェックする段階」を「前記奇数及び偶数データ遷移があるかをチェックするため、奇数及び偶数データと以前の奇数及び偶数データを比較する段階」としたものである。
　
　上記「２−３−２（ｄ）」（ア）ないし（ウ）で説示したものと同様に本願発明を解し、更に、
（エ’）本願発明の「奇数及び偶数データでデータ遷移のあるデータ数をチェックする段階」後にある「奇数及び偶数データの極性を反転させる段階」では、前記データ遷移のあるデータ数をチェックする段階と実質的に同じ段階（「前記奇数及び偶数データ遷移があるかをチェックするため、・・・段階と、前記奇数及び偶数データ遷移のある奇数及び偶数データ数を合算する段階と、・・・」）を重ねて行うものとも解せるが、このように解すると、当該「（エ’）」の項で指摘している本願発明の「奇数及び偶数データでデータ遷移のあるデータ数をチェックする段階」の技術的意義が一義的なものといえなくなってしまうから、発明の詳細な説明を参酌し、
（エ’）「前記奇数及び偶数データ遷移があるかをチェックするため、奇数及び偶数データと以前の奇数及び偶数データを比較する段階と、前記奇数及び偶数データ遷移のある奇数及び偶数データ数を合算する段階と、合算されたデータ数が全体の入力データのビットの半数を超えると奇数及び偶数データを反転させて、合算されたデータ数が全体の入力データのビットの半数以下であると反転なく入力データを出力させる段階」は、「奇数及び偶数データでデータ遷移のあるデータ数をチェックする段階及び奇数及び偶数データの極性を反転させる段階」に含まれる
と解釈して検討すると、両者は、
「入力データを奇数及び偶数データに分割する段階と、前記奇数及び偶数データを奇数及び偶数データ極性反転駆動部にそれぞれ入力する段階と、前記奇数及び偶数データでデータ遷移のあるデータ数をチェックし、前記決定された数に対応して奇数及び偶数データの極性を反転させる段階を含み、
前記奇数及び偶数データの極性を反転させる段階は、前記奇数及び偶数データ遷移のある奇数及び偶数データ数をチェックする段階と、前記データ遷移のあるデータ数が全体の入力データのビットの半数を超えると奇数及び偶数データを反転させて、前記データ遷移のあるデータ数が全体の入力データのビットの半数以下であると反転なく入力データを出力させる段階を含むことを特徴とする２ポートデータ極性反転器を有する液晶表示装置の駆動方法。」
の点で一致し、上記相違点２で一応相違するとともに、更に、以下の相違点１’で一応相違する。
　
［相違点１’］
　データ遷移のあるデータ数が、全体の入力データのビットの半数を超えるか否かを判断する際に、本願発明では奇数及び偶数データ遷移があるかをチェックするため、奇数及び偶数データと以前の奇数及び偶数データを比較する段階を含むのに対し、先願発明ではこのような段階を含むのか否か不明な点。
　
　
６　判断
　以下、上記相違点１’、２について検討する。
　
［相違点１’］について
　データ遷移があるのかをチェックするために、データと以前のデータを比較する段階を含むように構成することは周知の技術（例えば、上記特開２０００−２０７０７７号公報（特に、「【００２７】図６のトランジション検出セル（ＴＤＣ）は直列接続された第２及び第３フリップフロップ（５２、５４）と、フリップフロップ（５２、５４）に蓄積されたビットデータなどを比較するエクスクルーシブオアゲート（Ｅｘｃｌｕｓｉｖｅ  ＯＲ  Ｇａｔｅ）（ＥＯＸ）とを具備する。第２及び第３フリップフロップ（５２、５４）はそれぞれインターフェース（３４）からのデータクロック（ＤＣＬＫ）に同期してそれぞれｎ番目のデータとn−1番目のデータをラッチしている。エクスクルーシブオアゲート（ＥＯＸ；５６）は前記第２及び第３フリップフロップ（５２、５４）からラッチされたデータを受けてそれぞれのデータの値を比較してその比較結果によってトランジション検出信号（ＴＳ）を生成出力する。即ち前記エクスクルーシブオアゲート（５６）は第２及び第３フリップフロップ（５２、５４）から″０″″０″または″１″″１″のデータが入力されるとデータトランジションがないことを表す″０″値のトランジション検出信号（ＴＳ）を出力し、″０″″１″または″１″″０″のデータが入力されるとデータトランジションを表す″１″値のトランジション検出信号（ＴＳ）を出力する。このような１８個のトランジション検出セル（ＴＤＣ１〜ＴＤＣ１８）はそれぞれ１ビットずつのデータを受けてそれぞれ直前周期のデータと比較して各該当ビットのトランジション状態を検出してその検出信号（ＴＳ１〜ＴＳ１８）を図５の計数器（４６）に出力する。」）の記載を参照。）に過ぎず、該周知の技術を参酌すれば、先願発明におけるデータ極性反転数を判定するため、奇数及び偶数データと以前の奇数及び偶数データを比較する段階を含む構成として、上記相違点１’に係る構成とすることは、課題解決の具体化手段における微差と言える。したがって、上記相違点１’は実質的な相違点ではない。
　
［相違点２］
　相違点２は、上記「２−３−２（ｅ）」で検討したとおり、実質的な相違点ではない。
　
　以上のとおり、上記相違点１’、２は、いずれも実質的な相違点ではないから、本願発明と先願発明とは実質的に同一である。そして、先願発明をした者が本願発明の発明者と同一の者であるとも、また、本願の出願の時にその出願人と先願の出願人とが同一の者であるともいえない。
　したがって、本願発明は、特許法第２９条の２の規定により、特許を受けることができない。　
　
　
７　むすび
　以上のとおり、本願発明は、特許法２９条の２の規定により、特許を受けることができないものであるから、本願は、その余の請求項に係る発明について検討するまでもなく、拒絶すべきものである。
　
　よって、結論のとおり審決する。